(57)【要約】【課題】  低音再生限界を下げ、音圧特性の改善をしつつ、第１キャビネット及び第２のキャビネットの小型化を達成するスピーカーシステムを提供すること。【解決手段】  スピーカー６を配設した第１のキャビネット１とスピーカー６を配設した第２のキャビネット２との間に、第１のキャビネット１と第２のキャビネット２の双方に接続ダクト４を介して連通された第３のキャビネット３を設け、さらに、第３のキャビネット３に、外部と連通させたダクト５を設ける。【選択図】        図２
2006295268.tif 000002
【特許請求の範囲】
【請求項１】
スピーカーを配設した第１のキャビネットとスピーカーを配設した第２のキャビネットとの間に、該第１のキャビネットと該第２のキャビネットの双方に連通された第３のキャビネットを設けると共に、キャビネット内と外部とを連通させたダクトを設けたことを特徴とするスピーカーシステム。
【請求項２】
前記第３のキャビネットは、前記第１のキャビネットと前記第２のキャビネットとの双方に、接続ダクトを介して連通されていることを特徴とする請求項1記載のスピーカーシステム。
【請求項３】
前記ダクトは、前記第３のキャビネットに設けられていることを特徴とする請求項１または２記載のスピーカーシステム。
【請求項４】
前記ダクトは、前記第１のキャビネットと前記第２のキャビネットの夫々に設けられていることを特徴とする請求項１〜３の何れか１項記載のスピーカーシステム。
【請求項５】
前記第１のキャビネットと前記第２のキャビネットとの容積比は概ね１：１であると共に、前記第３のキャビネットと、前記第１のキャビネットまたは前記第２のキャビネットとの容積比は概ね１：３であることを特徴とする請求項１〜４の何れか１項記載のスピーカーシステム。
【請求項６】
スピーカーを配設した第１のキャビネットとスピーカーを配設した第２のキャビネットとの間に、該第１のキャビネットと該第２のキャビネットの双方に接続ダクトを介して連通した第３のキャビネットを設け、キャビネット内と外部とを連通したダクトを設けて、スピーカー背面からの音を外へ出す音道を形成したことを特徴とする音道形成方法。
【請求項７】
前記ダクトは、前記第３のキャビネットに設けたことを特徴とする請求項６記載の音道形成方法。
【請求項８】
前記ダクトは、前記第１のキャビネットと前記第２のキャビネットの夫々に設けたことを特徴とする請求項６または７記載の音道形成方法。
【請求項９】
前記第１のキャビネットと前記第２のキャビネットとの容積比を概ね１：１とし、前記第３のキャビネットと、前記第１のキャビネットまたは前記第２のキャビネットとの容積比を概ね１：３としたことを特徴とする請求項６〜８の何れか１項記載の音道形成方法。
【発明の詳細な説明】
【技術分野】
【０００１】
本発明は、ダクトを介してスピーカー背面からの音を外へ出すようにしたスピーカーシステム及び音道形成方法に関する。
【背景技術】
【０００２】
スピーカーシステムは、低音域の量感を増すために、例えば、離間して配設された左右チャンネルの各キャビネットを、スピーカを収納する第１のキャビティーと、第１のキャビティーと障壁によって隔てられた第２のキャビティーと、第１のキャビティーに設けられた第１のキャビティーと第２のキャビティーとを連通させるための第１ダクトと、第２のキャビティーに設けられた外部空間と連通させるための第２ダクトとで構成し、さらに、各キャビネットの第２のキャビティー同士を接続ダクトで連通させたスピーカーシステムがある（例えば特許文献１参照）。
【０００３】
【特許文献１】特開２００４−３２０２０７公報（第２頁、図１）
【発明の開示】
【発明が解決しようとする課題】
【０００４】
上記した従来のスピーカーシステムは、低音再生限界を下げ、音圧特性の改善が望める好適なものと思料するが、しかしながら、従来のスピーカーシステムは、夫々のスピーカーキャビネット同士を、パイプ状の接続ダクトで連通させて、夫々のスピーカーキャビネット同士を音道で結んでいるのみなので、スピーカーキャビネットの小型化を考慮したものではない。
【０００５】
ところで、液晶テレビやブラウンテレビ等の受像機は、所謂ステレオタイプのものがあるが、そのスピーカーの配設は、液晶パネルやブラウン管を挟んで左右に設けているのが一般的である。また、ＣＤラジカセやミニコンポステレオ等の各種再生装置を一体化したオーディオ機器においても、左右にスピーカーを配設しているのが一般的である。
【０００６】
特に、上記した受像機は、液晶パネルやブラウン管を除いた領域を可能な限り省スペース化して機器の大型化を抑制させており、かかるような限られたスペース内で、低音再生限界を下げて高音質なサウンドを得るためには、僅かな空間を効率よく利用することが必要になってくる。このことは、ＣＤラジカセやミニコンポステレオ等のオーディオ機器においても言える。
【０００７】
そこで本発明は、このような状況に鑑みてなされたものであり、上記問題点を解決できるスピーカーシステム及び音道形成方法を提供することを目的とする。
【課題を解決するための手段】
【０００８】
上記技術課題を達成するために、本発明にかかるスピーカーシステム及び音道形成方法は、下記の技術的手段を講じた。
すなわち、請求項１にかかるスピーカーシステムは、スピーカーを配設した第１のキャビネットとスピーカーを配設した第２のキャビネットとの間に、該第１のキャビネットと該第２のキャビネットの双方に連通された第３のキャビネットを設けると共に、キャビネット内と外部とを連通させたダクトを設けたことを特徴とする。
請求項２にかかるスピーカーシステムは、請求項１において、前記第３のキャビネットは、前記第１のキャビネットと前記第２のキャビネットとの双方に、接続ダクトを介して連通されていることを特徴とする。
請求項３にかかるスピーカーシステムは、請求項１または２において、前記ダクトは、前記第３のキャビネットに設けられていることを特徴とする。
請求項４にかかるスピーカーシステムは、請求項１〜３の何れかにおいて、前記ダクトは、前記第１のキャビネットと前記第２のキャビネットの夫々に設けられていることを特徴とする。
請求項５にかかるスピーカーシステムは、請求項１〜４の何れかにおいて、前記第１のキャビネットと前記第２のキャビネットとの容積比は概ね１：１であると共に、前記第３のキャビネットと、前記第１のキャビネットまたは前記第２のキャビネットとの容積比は概ね１：３であることを特徴とする。
請求項６にかかる音道形成方法は、スピーカーを配設した第１のキャビネットとスピーカーを配設した第２のキャビネットとの間に、該第１のキャビネットと該第２のキャビネットの双方に接続ダクトを介して連通した第３のキャビネットを設け、キャビネット内と外部とを連通したダクトを設けて、スピーカー背面からの音を外へ出す音道を形成したことを特徴とする。
請求項７にかかる音道形成方法は、請求項６において、前記ダクトは、前記第３のキャビネットに設けたことを特徴とする。
請求項８にかかる音道形成方法は、請求項６または７において、前記ダクトは、前記第１のキャビネットと前記第２のキャビネットの夫々に設けたことを特徴とする。
請求項９にかかる音道形成方法は、請求項６〜８の何れかにおいて、前記第１のキャビネットと前記第２のキャビネットとの容積比を概ね１：１とし、前記第３のキャビネットと、前記第１のキャビネットまたは前記第２のキャビネットとの容積比を概ね１：３としたことを特徴とする。
【発明の効果】
【０００９】
本発明によれば、スピーカーを配設した第１のキャビネットとスピーカーを配設した第２のキャビネットとの間に、第１のキャビネットと第２のキャビネットの双方に接続ダクトを介して連通された第３のキャビネットを設け、さらに、第３のキャビネットに、または、第１のキャビネットと第２のキャビネットの夫々に、キャビネット内と外部とを連通させたダクトを設けたから、第１及び第２のキャビネットと第３のキャビネットに連通した接続ダクトによる共振に合わせて、第３のキャビネットによる共振が利用できるので、低音再生限界を下げ、音圧特性の改善ができる。しかも、第３のキャビネットを第１及び第２のキャビネットで共有するので、第１及び第２のキャビネットの小型化を達成することができる。
【発明を実施するための最良の形態】
【００１０】
次に、本発明にかかるスピーカーシステムの実施の形態を説明する。
図中、符号１は第１のキャビネットを、符号２は第２のキャビネットを、符号３は第３のキャビネットを、符号４は接続ダクトを、符号５がダクトを、符号６はスピーカーを夫々示す。
【００１１】
本実施の形態にかかるスピーカーシステムは、図１及び図２に示すように、スピーカー６を配設した第１のキャビネット１の下部と、スピーカー６を配設した第２のキャビネット２の下部とを接続するように連設されたボックス状の第３のキャビネット３を備えてなる。
【００１２】
この第３のキャビネット３の左右側壁には、第１のキャビネット１と第２のキャビネット２双方のキャビネット内と、第３のキャビネット３内とを連通させるパイプ状の接続ダクト４が内側に向かって延設されていると共に、第３のキャビネット３の正面側側壁には、第３キャビネット内と外部とを連通させたダクト５が内側に向かって延設されている。なお、この一対の接続ダクト４は、同軸線上にならないように、ずらして配置される。
【００１３】
また、この第１のキャビネット１と第２のキャビネット２との容積比は１：１、すなわち、同形状となっており、これに対し、第３のキャビネット３と、第１のキャビネット１または第２のキャビネット２との容積比は概ね１：３になっている。この容積比は、音圧特性の向上が良好であった実験結果による。
【００１４】
このようにして本実施の形態にかかるスピーカーシステムは、第１のキャビネット１及び第２のキャビネット２に設けたスピーカー６背面からの音は、接続ダクト４、第３のキャビネット３、ダクト５を介して外部に出る。
【００１５】
このとき、第１のキャビネット１及び第２のキャビネット２と第３のキャビネット３に連通した接続ダクト４による共振と、第３のキャビネット３による共振を合わせているので、ダクト５を介して外部に出る音は（スピーカー６背面の音）、中高音を減衰させ、低音再生限界を下げることが可能になっている。
【００１６】
この実験結果を図３に示す。
図中、縦軸は音圧レベルを、横軸は再生周波数であり、また、符号Ａの描線は本実施の形態にかかるスピーカーシステムのデータであり、符号Ｂの描線は左右一対の一般的なバスレフ型スピーカーのデータである。
なお、両者を比較するにあたり、両者のキャビネットの総容積を同じにし、入力信号、測定方法等、実験条件を一致させている。
【００１７】
この実験結果から明らかなように、中高音域の再生では両者に差異はほとんど認められないが、低音域の再生では、３００Ｈｚあたりから両者に変化がみられ、描線Ｂより描線Ａの方が、低音再生限界を下げていることが認められる。
【００１８】
このように本実施の形態にかかるスピーカーシステムは、第３のキャビネット３を第１のキャビネット１及び第２のキャビネット２で共有し、第３のキャビネット３による共振を加えることで、第１のキャビネット１及び第２のキャビネット２の小型化を達成しつつ、低音再生限界を下げることができる。
【００１９】
例えば、本実施の形態にかかるスピーカーシステムを、液晶テレビやブラウンテレビ等の受像機Ｍに組み込んだ場合、図４に示すように、液晶パネルやブラウン管等の表示部ｍ１を取り囲むようなレイアウトを採用（表示部ｍ１の下方に予め形成されている空間を利用）することで、低音再生限界を下げて高音質なサウンドが、受像機Ｍを大型化することなく、限られたスペース内で得ることができる。なお、各構成部材を示す符号は上記と同一の符号を付している。
【００２０】
また、他の態様として、図５に示すように、第３キャビネットに設けたダクト５に代えて、第１のキャビネット１及び第２のキャビネット２の双方に、外部とを連通させたダクト5を設けても良いのもである。かかる態様におても、上記した効果を得ることができる。
【００２１】
また、スピーカー６を配設した第１のキャビネット１とスピーカー６を配設した第２のキャビネット２との間に、該第１のキャビネット１と該第２のキャビネット２の双方に接続ダクト４を介して連通した第３のキャビネット３を設け、キャビネット内と外部とを連通したダクト５を設けて、スピーカー６背面からの音を外へ出す音道を形成した音道形成方法でも良い。
【００２２】
以上、本実施の形態にかかるスピーカーシステムを説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００２３】
【図１】本実施の形態にかかるスピーカーシステムの概略を示す正面図である。
【図２】同、概略を示す横断平面図である。
【図３】同、実験結果を示すグラフである。
【図４】受像機に適用した場合の模式図である。
【図５】他の態様の概略を示す横断平面図である。
【符号の説明】
【００２４】
１  第１のキャビネット
２  第２のキャビネット
３  第３のキャビネット
４  接続ダクト
５  ダクト
６  スピーカー
Ｍ  受像機
ｍ１  表示部
【図１】
2006295268.tif 000003
【図２】
2006295268.tif 000004
【図３】
2006295268.tif 000005
【図４】
2006295268.tif 000006
【図５】
2006295268.tif 000007